(57)【要約】【課題】  本発明は、ユーザにとって使い勝手がよい記録再生装置を提供することを目的とする。【解決手段】  本発明の記録再生装置は、記録したタイトルの1つの再生に対して、ユーザからのタイトルの各再生位置の再生モードを記録再生装置に指示する指示手段と、指示手段からの指示による再生位置及び再生モードからなる再生パターンを、タイトルの1つと関連付けて記憶する記憶手段と、ユーザからの別のタイトルの再生指示に対して、記憶手段に記憶している再生パターンを提示するように制御する制御手段とを備えたことを特徴とする。【選択図】      図２
2009089057.tif 000002
【特許請求の範囲】
【請求項１】
映像信号を含むタイトルを複数記録し、前記タイトルを再生する記録再生装置において
、
記録した前記タイトルの1つの再生に対して、ユーザからの前記タイトルの各再生位置
の再生モードを前記記録再生装置に指示する指示手段と、
前記指示手段からの指示による前記再生位置及び前記再生モードからなる再生パターン
を、前記タイトルの1つと関連付けて記憶する記憶手段と、
ユーザからの別のタイトルの再生指示に対して、前記記憶手段に記憶している前記再生
パターンを提示するように制御する制御手段と
を備えたことを特徴とする記録再生装置。
【請求項２】
映像信号を含むタイトルを複数記録し、前記タイトルを再生する記録再生装置において
、
記録した前記タイトルの1つの再生に対して、ユーザからの前記タイトルの各再生位置
の再生モードを前記記録再生装置に指示する指示手段と、
前記指示手段からの指示による前記再生位置及び前記再生モードからなる再生パターン
を、前記タイトルの1つと関連付けて記憶する記憶手段と、
ユーザからの別のタイトルの再生指示に対して、前記記憶手段に記憶している前記再生
パターンを利用可能か否かチェックし、利用可能と判断した場合には、前記再生パターン
を利用して前記別のタイトルを再生するように制御する制御手段と
を備えたことを特徴とする記録再生装置。
【発明の詳細な説明】
【技術分野】
【０００１】
本発明は、映像信号を記録，再生可能な記録再生装置に関する。
【背景技術】
【０００２】
記録再生装置において、該装置に記録されている映像信号をユーザが再生する際に、ユ
ーザの操作による再生モード(通常再生モード，特殊再生モード)の再生モードの変更時(
通常再生モードから特殊再生モード，特殊再生モードから通常再生モード)の変化点情報(
特殊および通常再生開始点のタイムコード，光ディスク上のアドレス情報，特殊および通
常再生開始を表すフラグ)を自動的に記憶させる装置が知られている(特許文献１)。
しかしながら、該装置においては、再生モードの変更時の変化点情報、つまり、再生位置情報しか記憶していないため、同じ構成(オープニング，本編，エンディング)の番組(例えば、毎週の連続ドラマや、月曜から金曜までの帯番組など)を視聴する場合であっても、ユーザは、番組毎に通常再生(例えば、オープニング，本編)，特殊再生(例えば、エンディングは、早送りなど)を行う必要があり、ユーザにとって使い勝手が悪いという問題点があった。
【特許文献１】特開2005-348378号公報
【発明の開示】
【発明が解決しようとする課題】
【０００３】
従来の装置は、同じ構成(オープニング，本編，エンディング)の番組(例えば、毎週の
連続ドラマや、月曜から金曜までの帯番組など)を視聴する場合であっても、ユーザは、
番組毎に通常再生(例えば、オープニング，本編)，特殊再生(例えば、エンディングは、
早送りなど)を行う必要があり、ユーザにとって使い勝手が悪いという問題点があった。
【０００４】
本発明は、ユーザにとって使い勝手がよい記録再生装置を提供することを目的とする。
【課題を解決するための手段】
【０００５】
上記目的を達成するために、本発明の記録再生装置は、映像信号を含むタイトルを複数
記録し、前記タイトルを再生する記録再生装置において、
記録した前記タイトルの1つの再生に対して、ユーザからの前記タイトルの各再生位置
の再生モードを前記記録再生装置に指示する指示手段と、
前記指示手段からの指示による前記再生位置及び前記再生モードからなる再生パターン
を、前記タイトルの1つと関連付けて記憶する記憶手段と、
ユーザからの別のタイトルの再生指示に対して、前記記憶手段に記憶している前記再生
パターンを提示するように制御する制御手段と
を備えたことを特徴とする。
また、映像信号を含むタイトルを複数記録し、前記タイトルを再生する記録再生装置に
おいて、
記録した前記タイトルの1つの再生に対して、ユーザからの前記タイトルの各再生位置
の再生モードを前記記録再生装置に指示する指示手段と、
前記指示手段からの指示による前記再生位置及び前記再生モードからなる再生パターン
を、前記タイトルの1つと関連付けて記憶する記憶手段と、
ユーザからの別のタイトルの再生指示に対して、前記記憶手段に記憶している前記再生
パターンを利用可能か否かチェックし、利用可能と判断した場合には、前記再生パターン
を利用して前記別のタイトルを再生するように制御する制御手段と
【０００６】
を備えたことを特徴とする。
そして、同様のタイトルを再生する際に、ユーザが指示することなく、自動的に、ユー
ザの視聴嗜好に合わせた再生が行われるため、ユーザの利便性が高まる。
【発明の効果】
【０００７】
本発明によれば、ユーザにとって使い勝手がよい記録再生装置を提供することができる
。
【発明を実施するための最良の形態】
【０００８】
以下、図面を参照して本発明の実施の形態を説明する。
図１は、この実施の形態で説明する記録再生装置のブロック図を示している。
図１を参照して記録再生装置1000の構成例について説明する。本実施の形態の記録再生
装置1000としては、図示するようにして、制御部CPU部10，ハードディスクドライブ部20
，ディスクドライブ部30，ユーザ操作入力部40，チューナ部50，録再信号処理部60，メモ
リ部70により構成される。
【０００９】
記録再生装置1000には、TV500が接続されている。
記録再生装置1000において、制御CPU部10は、例えば、マイクロコンピュータを備えて
構成され、記録再生装置1000内の各部の制御を実行する。この中には、特に、ソフトウェ
アとして、変更再生モード・変更開始時間情報記憶処理部，再生タイトル情報と記憶再生
パターンとの照合処理部を備える。メモリ部70に、変更再生モード・変更開始時間情報を
記憶させる。なお、詳細にはついては、後述する。また、ユーザ操作入力部40は、例えば
、記録再生装置1000の外部からの図示しないリモートコントロール装置(リモコン)からの
ユーザ操作に応じたリモコン信号を受信し、制御CPU部10に伝達する。
【００１０】
チューナ部50は、例えば、図示しないアンテナにより受信した放送局の放送波を入力し
、制御CPU部10の制御に指示に応じたチャンネルを選局する。このようにして受信選局さ
れた放送波は、例えば、ストリームデータとして録再信号処理部60に出力される。録再信
号処理部60では、入力されたストリームデータから必要とされる特定のチャンネルの1番
組のデータ(これが1タイトルとなる)を抽出して、例えば、圧縮ビデオデータ(圧縮オーデ
ィオデータを含む)を得る。このようにして得られた1タイトルの圧縮ビデオデータは、制
御CPU部10の制御によって、ハードディスクドライブ部20に記録される。なお、ディスク
ドライブ部30に装着された光ディスク(DVD-R/RW/RAM，HD DVD記録可能ディスク)に記録さ
せてもよい。
【００１１】
また、ユーザ操作入力部40に対して、特定のタイトルを再生する指示があった場合、制
御CPU部10は、ハードディスクドライブ部20に記録されているタイトルから再生指示され
たタイトルを検索し、該タイトルの読み出しが行われるように制御を実行する。このよう
にして読み出されたタイトルとしての圧縮ビデオデータは、録再信号処理部60に出力され
る。録再信号処理部60は、圧縮ビデオデータをデコード(伸長)して出力する機能も備えて
おり、デコード処理が施されることによって、動画像信号と、この動画像信号に同期した
オーディオ信号を得ることができる。これらは、録再信号処理部60から記録再生装置1000
に接続されているTV500に出力され、ユーザは、TV500によりタイトルを視聴することがで
きる。
【００１２】
次に、ユーザによるタイトルの再生パターン記憶について、図２，図３，図４を用いて
説明する。図２は、タイトルの再生パターン記憶のフローチャート，図３は、タイトルの
再生位置とユーザ動作との対応を示す図，図４は、画面例を示す。
【００１３】
図３(a)に示すように、特定のタイトルの構成を示す。図３(a)で例示するタイトルは、
毎週月曜日から金曜日の間同じ時間帯に放送される1時間の番組で、再生時間T0からT2が
オープニング，再生時間T2からT3がコーナー1(例えば、ニュース)，再生時間T3からT4が
コーナー2(例えば、対談)，再生時間T4からT5がコーナー3(例えば、料理紹介)，再生時間
T5からT6がコーナー4(ニュース)，再生時間T6からT7がエンディングという構成を取って
いる。ユーザは、該タイトルの再生を開始し(再生時間TO)、ユーザの再生パターンを記録
再生装置1000に記憶させるために、リモコンの特定キー(例えば、クイックキーを押して
、TV500に表示されたメニューから「再生パターン記憶開始」を選択)が押下されたことが
ユーザ操作入力部40から検出されると、ユーザのリモコン操作の記録再生装置1000への記
憶を開始する。これにより、ユーザが、再生時間T1からT2(オープニング相当)は、早送り
，再生時間T2からT3(コーナー1相当)は再生，再生時間T3からT4(コーナー2)は早送り，再
生時間T4からT5(コーナー3相当)は再生，再生時間T5からT6(コーナー4相当)はスキップ，
再生時間T6からT7(エンディング相当)は再生，再生時間T7で停止操作したことが記憶され
る。これにより、図３(b)に示すタイトルでの再生位置と、再生モード(早送り，スキップ
など)との対応表が、制御CPU部10を介して、メモリ部70に記憶される。
【００１４】
上記のタイトル再生パターン記憶における制御CPU部10の動作を、図２のフローチャー
トを用いて説明する。制御CPU部10は、ユーザから「再生パターン記憶」が指示されたか
否かをユーザ操作入力部40からの出力で判断し(ステップS201)、Yesの場合は、ユーザが
再生したいタイトルとして、記録再生装置1000に記録されているタイトルの中の1タイト
ル(第1のタイトル)を選択し、選択された第1のタイトルの再生を開始する(ステップS202)
。第1のタイトル再生中は、制御CPU部10は、図３(a)に示すように、ユーザのリモコン操
作(再生，早送り，スキップなど)のユーザ操作による再生モードの変更があったか否かを
チェックし(ステップS203)、再生モードの変更(例えば、図３(a)の時間T2のように、早送
りから再生)があった場合(Yesの場合)、変更再生モード(早送りから再生)と変更開始時間
(時間T2)を、メモリ部70に記憶する(ステップS204)。なお、ステップS203でNoの場合は、
再生モードの変更の有無をチェックする。制御CPU部10は、ユーザより該第1のタイトルの
再生が終了されたかをチェックし(ステップS205)、終了されてない場合(Noの場合)、ステ
ップS203に戻る。ステップS205で、制御CPU部10は、ユーザにより該第1のタイトルの再生
が終了されたと判断すると(Yesの場合)、該第1のタイトルの再生において、ユーザによる
全変更再生モードを再生パターン(例えば、再生->早送り->再生)として第1のタイトル情
報と関連付けて、メモリ部70に記憶する(ステップS206)。なお、図３(b)に、メモリ部70
に記憶された再生パターンの例を示す。図３(b)に示すように、再生位置に、時間T1-T2，
再生モードに、早送りと対になっている。
【００１５】
上記処理を、複数タイトル分記憶すると、TV500には、図４に示すような再生パターン
テーブルの画面が表示される。図４では、再生パターンテーブル400の内訳として、再生
パターン410，放送時間帯420，番組名(タイトル名)430の項目があり、各項目の下に、メ
モリ部70に記憶されている再生パターン(図４の場合は、3タイトル分)が表示される。図
４の場合では、番組名AAAの再生パターンAAA，番組名BBBの再生パターンBBB，番組名CCC
の再生パターンCCCと、各番組名の放送時間帯420が表示される。具体的には、番組名AAA
は、月曜から金曜の09:00-09:15の帯番組，番組名BBBは、番組名AAAと同じく月曜から金
曜の帯番組で放送時間帯が12:45-13:00，番組名CCCは、毎週木曜の連続ドラマで放送時間
帯は21:00-21:58である。これらの帯番組及び連続ドラマは、番組の構成(オープニング，
本編，エンディング)はほぼ同じである。
【００１６】
図５は、図４に示すように記憶された再生パターンを利用する場合の制御CPU部10の動
作のフローチャートである。
制御CPU部10は、図４の画面をユーザがチェックし、記録再生装置1000に対して、ユー
ザから「再生パターン利用」が指示されたか否かをユーザ操作入力部40からの出力で判断
し(ステップS501)、Yesの場合は、ユーザが新たに再生したいタイトルとして、記録再生
装置1000に記録されているタイトルの中の1タイトル(第2のタイトル)を選定する(ステッ
プS502)。ここで、制御CPU部10は、図４の画面を表示するように制御し、ユーザに対して
既記憶再生パターンを提示する(ステップS503)。ユーザが、例えば、第2のタイトルとし
て、番組名BBBの最近録画したタイトルを選択した場合、TV500の画面には、過去に再生パ
ターンを記憶させた同一番組名で同一放送時間帯のタイトル(BBB)があることから、再生
パターンBBBを選択すると、制御CPU部10は、ユーザが既記憶再生パターンを選択したか否
かをユーザ操作入力部40からの出力をチェックし(ステップS504)、Yesの場合(ユーザが既
記録パターンの1つを選択した場合)、選択された再生パターン(この場合は、再生パター
ンBBB)で、第2のタイトルの再生を開始する(ステップS505)。これは、具体的には、図３(
c)に示すように、第2のタイトルが、選択した再生パターン(図３(a))で再生される。なお
、ステップS501で、Noの場合は、既記憶再生パターンを用いずに通常再生を開始する(ス
テップS506)。ステップS505の再生パターンでの図３(c)の再生が終了する(再生時間T7)(
ステップS507)と、一連の処理を終了する。
【００１７】
そして、上記実施例によれば、連ドラや、帯番組などある程度決まった番組構成のタイ
トルを再生するときに、毎回同じ様な操作をする
手間を省き、容易な操作で、ユーザ好みの再生を行うことができる。これにより、機能の
優れた記録再生装置を提供することが可能になる。
図６は、図５の実施の別形態を説明する再生パターン利用のフローチャートである。説
明する。なお、図６において、図５と同じ構成，同じ動作については同一番号を付し、説
明を省略し、異なる部分のみ説明する。図６は、ユーザではなく、記録再生装置1000が、
ユーザが選択したタイトルに対して、利用可能な再生パターンが、記録再生装置1000に記
憶されていればこれを用いることができるようにした点がポイントである。
【００１８】
具体的には、図６のステップS502で、ユーザが新たに再生したいタイトルとして、記録
再生装置1000に記録されているタイトルの中の1タイトル(第2のタイトル)を選定する(ス
テップS502)と、制御CPU部10は、メモリ部70から記憶している再生パターンを順次呼び出
し、該再生パターンのタイトル情報と、第2のタイトル情報とを照合する(ステップS603)
。この照合は、制御CPU部10が、第2のタイトルのタイトル情報と、図４の放送時間帯420
，番組名(タイトル名)430とを比較することにより実現できる。なお、メモリ部70からの
再生パターンの呼び出しは、1度に行ってもよい。ステップS603で、制御CPU部10による照
合の結果、利用可能な再生パターンがある場合(ステップS604でYesの場合)、つまり、例
えば、第2のタイトルのタイトル情報と、図４の放送時間帯420，番組名(タイトル名)430
の1つが一致したと判断した場合、一致したパターン(例えば、再生パターンAAA)で、第2
のタイトルの再生を開始する。この結果、例えば、図３(c)のように再生が行われる。ス
テップS604でNoの場合(制御CPU部10による照合の結果、利用可能な再生パターンがメモリ
部70にないと判断した場合)、通常の再生を開始する(ステップS506)。
【図面の簡単な説明】
【００１９】
【図１】本発明の一実施の形態による記録再生装置の概略構成図。
【図２】同実施の形態にかかわるタイトルの再生パターン記憶のフローチャート。
【図３】同実施の形態にかかわるタイトルの再生位置とユーザ動作との対応を示す図。
【図４】同実施の形態にかかわる画面例。
【図５】同実施の形態にかかわる記憶された再生パターン利用のフローチャート。
【図６】本発明の一実施の別形態による再生パターン利用のフローチャート。
【符号の説明】
【００２０】
10  制御部CPU部
20  ハードディスクドライブ部
30  ディスクドライブ部
40  ユーザ操作入力部
50  チューナ部
60  録再信号処理部
70  メモリ部
400  再生パターンテーブル
410  再生パターン
420  放送時間帯
430  番組名(タイトル名)
500  TV
1000  記録再生装置
【図１】
2009089057.tif 000003
【図２】
2009089057.tif 000004
【図３】
2009089057.tif 000005
【図４】
2009089057.tif 000006
【図５】
2009089057.tif 000007
【図６】
2009089057.tif 000008